(57)【要約】【課題】  求める映像データをより効率的に検索でき、システム利用者のセキュリティの向上を図り、複数の利用者間でデータを共有できるようにする。【解決手段】  蓄積サーバ１の蓄積開始・終了を指示する制御部２１、蓄積データの検索を指示する検索部２２、検索結果を表示する映像表示部２３を備えた操作端末２、映像データの蓄積部１２、検索の際の検索キー項目を有する蓄積データリストを保存する蓄積データリスト部１４、タイマ設定を行うタイマ管理部１５、外部センサまたは警報装置４のイベントが入力されるイベント入力部１６、検索部２２から入力された検索キーにより求めるデータを検索し抽出する検索制御部１３、利用者の手動、タイマ理部１５の設定あるいはイベント入力部１６への入力という蓄積開始のきっかけ情報により蓄積開始・終了を制御し、きっかけ情報を蓄積データリスト１４に保存する制御部１１を備える。【選択図】        図１
2006173939.tif 000002
【特許請求の範囲】
【請求項１】
映像撮影装置で撮影された映像データを蓄積する蓄積サーバと、上記蓄積サーバに対して利用者が各種操作を行うための操作端末とを備え、
上記操作端末は、
上記蓄積サーバにおける蓄積開始及び終了の制御を指示する制御部と、
上記蓄積サーバにおける蓄積データの検索を指示する検索部と、
検索され読み出された映像データと映像データに関する情報とを表示する映像表示部とを備え、
上記蓄積サーバは、
上記映像データを蓄積する蓄積部と、
上記蓄積された映像データを検索する際の検索キーを記録する検索キー項目が設けられた蓄積データリストを保存する蓄積データリスト部と、
タイマ設定を行うタイマ管理部と、
外部センサまたは警報装置からのイベントが入力されるイベント入力部と、
上記操作端末の上記検索部から入力された上記検索キーを受信し上記利用者が求めるデータを検索し抽出する検索制御部と、
上記利用者の手動あるいは上記タイマ管理部のタイマ設定あるいは上記外部センサまたは警報装置からの上記イベント入力部へのイベント発生の入力を蓄積開始のきっかけ情報として上記検索キー項目に含めて、上記蓄積データリストに上記蓄積開始のきっかけ情報を記録し、上記蓄積部に蓄積開始・終了の制御を行うとともに、上記映像データを上記蓄積部に蓄積し、上記蓄積データリスト部に上記蓄積開始のきっかけ情報を含む上記蓄積データリストを保存する制御部とを備えたことを特徴とする映像データ蓄積システム。
【請求項２】
上記外部センサまたは警報装置が複数あり、各外部センサまたは警報装置に対応して上記イベント入力部を設けたことを特徴とする請求項１記載の映像データ蓄積システム。
【請求項３】
上記蓄積データリストに、上記操作端末の利用者である蓄積操作者のユーザＩＤを追加したことを特徴とする請求項１記載の映像データ蓄積システム。
【請求項４】
上記蓄積データリストに、上記操作端末から蓄積された映像データを共有する共有者のユーザＩＤを追加したことを特徴とする請求項３記載の映像データ蓄積システム。
【請求項５】
上記蓄積開始のきっかけ情報として、上記利用者が操作した操作端末のＩＰアドレスとすることを特徴とする請求項１記載の映像データ蓄積システム。
【請求項６】
上記映像データは、動画または静止画であることを特徴とする請求項１なし５のいずれかに記載の映像データ蓄積システム。
【請求項７】
上記請求項１ないし６に記載の映像データ蓄積システムのいずれかを用い、上記操作端末の検索部から上記蓄積サーバの検索制御部へ上記蓄積開始のきっかけ情報を含む検索キーを送信し、上記検索制御部が上記蓄積データリスト部から上記蓄積開始のきっかけ情報を含む検索キーの全てを含む蓄積データリストを抽出し、上記抽出した蓄積データリストを上記操作端末に返すことを特徴とする映像データの検索方法。
【発明の詳細な説明】
【技術分野】
【０００１】
この発明は、例えば、道路、河川やダム等の状況をカメラにより撮影した映像データを蓄積する映像データ蓄積システム及び映像データの検索方法に関するものである。
【背景技術】
【０００２】
従来、映像データ蓄積システムにおいては、映像データを蓄積するとともに、蓄積された映像データを利用する利用者は、例えば、カメラにより撮影され蓄積された大量の映像データとともに保存された、撮影日時、撮影カメラ名等の蓄積映像データの情報に関する検索キーから、利用者が求める映像データを検索して探し出している。このように、大量の映像データが蓄積される映像データ蓄積システムにおいて求める映像データを探し出すためには、効率的な検索ができる映像データ蓄積システムが要望されている。
【０００３】
特許文献１に記載された画像蓄積方法では、連続的に映像データを蓄積している間に、センサー等によって警報が発せられるといったイベントが発生した場合に、センサーとカメラとを連動させて、イベントの発生とともに蓄積された映像データにタグを付してイベントが発生した映像データを利用し易くしている。
【０００４】
【特許文献１】特開２０００−３０６７６４号公報（第３−４頁、図３、図４）
【発明の開示】
【発明が解決しようとする課題】
【０００５】
上記特許文献１に記載された画像蓄積方法では、映像データ自体にタグが埋め込まれているため、目的の映像を見つけるためには、全ての映像データを順番に検索する必要があり、利用者の負担が大きいという問題点があった。
【０００６】
また、従来のシステムでは、複数の利用者がシステムを利用する場合、利用者個人のセキュリティはほとんど考慮されておらず、ある利用者が蓄積しておいた映像データを、無断で他の利用者に見られたり、データが改ざんされたりすることが起こりえるものであった。
【０００７】
この発明は、上記のような問題を解決するものであり、利用者が求める映像データを、より効率的に検索して探し出しことができる映像データ蓄積システムを提供することを目的とするものである。
【０００８】
また、この発明の別の目的は、システム利用者のセキュリティの向上を図るとともに、複数の利用者間での情報の共有を可能とすることである。
【課題を解決するための手段】
【０００９】
この発明に係る映像データ蓄積システムは、映像撮影装置で撮影された映像データを蓄積する蓄積サーバと、上記蓄積サーバに対して利用者が各種操作を行うための操作端末とを備え、
上記操作端末は、
上記蓄積サーバにおける蓄積開始及び終了の制御を指示する制御部と、
上記蓄積サーバにおける蓄積データの検索を指示する検索部と、
検索され読み出された映像データと映像データに関する情報とを表示する映像表示部とを備え、
上記蓄積サーバは、
上記映像データを蓄積する蓄積部と、
上記蓄積された映像データを検索する際の検索キーを記録する検索キー項目が設けられた蓄積データリストを保存する蓄積データリスト部と、
タイマ設定を行うタイマ管理部と、
外部センサまたは警報装置からのイベントが入力されるイベント入力部と、
上記操作端末の上記検索部から入力された上記検索キーを受信し上記利用者が求めるデータを検索し抽出する検索制御部と、
上記利用者の手動あるいは上記タイマ理部のタイマ設定あるいは上記外部センサまたは警報装置からの上記イベント入力部へのイベント発生の入力を蓄積開始のきっかけ情報として上記検索キー項目に含めて、上記蓄積データリストに上記蓄積開始のきっかけ情報を記録し、上記蓄積部に蓄積開始・終了の制御を行うとともに、上記映像データを上記蓄積部に蓄積し、上記蓄積データリスト部に上記蓄積開始のきっかけ情報を含む上記蓄積データリストを保存する制御部とを備えたものである。
【００１０】
この発明に係る映像データの検索方法は、上記この発明に係る映像データ蓄積システムを用い、上記操作端末の検索部から上記蓄積サーバの検索制御部へ上記蓄積開始のきっかけ情報を含む検索キーを送信し、上記検索制御部が上記蓄積データリスト部から上記蓄積開始のきっかけ情報を含む検索キーの全てを含む蓄積データリストを抽出し、上記抽出した蓄積データリストを上記操作端末に返すものである。
【発明の効果】
【００１１】
この発明に係る映像データ蓄積システム及び映像データの検索方法によれば、より利用者の意志が反映されやすくなり、的確な検索条件が設定でき、検索の結果の精度が向上し、利用者の利便性が向上する。
【発明を実施するための最良の形態】
【００１２】
実施の形態１．
図１は、この発明に係る映像データ蓄積システムの実施の形態１を示すブロック図である。図１に示したように、この実施の形態１における映像データ蓄積システムは、カメラ３等の映像撮影装置で撮影された映像データを蓄積する蓄積サーバ１と、システムの利用者が蓄積サーバ１に対して各種操作を行うための操作端末２とを備えている。
【００１３】
操作端末２は、制御部２１と、検索部２２と、映像表示部２３とを備え、制御部２１は蓄積サーバ１における蓄積開始及び終了の制御を指示し、検索部２２は蓄積サーバ１における蓄積データの検索を指示し、映像表示部２３は検索され読み出された映像と映像に関する情報とを表示する。
【００１４】
蓄積サーバ１は、制御部１１、蓄積部１２、検索制御部１３、蓄積データリスト部１４、タイマ管理部１５、イベント入力部１６を備え、制御部１１は、利用者の手動あるいはタイマ管理部１５のタイマ設定あるいは外部センサまたは警報装置４からのイベント入力部１６へのイベント発生の入力をきっかけとして、蓄積部１２に蓄積開始・終了の制御を行うとともに、映像データを蓄積部１２に蓄積し、蓄積データリスト部１４に映像データに関する情報（蓄積データリスト）を記録し、検索制御部１３は、操作端末２から利用者が求めるデータを蓄積サーバ１の検索制御部１３を介して蓄積データリスト部１４のデータを検索し利用者が求めるデータを探す。このように、この実施の形態１の蓄積サーバ１における映像データの蓄積は、利用者の手動による場合、タイマ管理部１５のタイマ設定による場合、外部センサまたは警報装置４からのイベント入力部１６へのイベント発生の入力をきっかけとする場合の３つの場合に分けて蓄積データリストを作成して蓄積データリスト部１４に入力する。
【００１５】
上記３つの場合の映像データの蓄積それぞれの動作について、以下に説明する。
まず、利用者が手動でカメラから入力されている映像を蓄積サーバ１の蓄積部１２に蓄積する場合は、利用者が操作端末２の制御部２１から蓄積サーバ１の制御部１１に蓄積設定内容の制御を指示することにより、カメラ３の映像データの蓄積部１２への蓄積が開始される。このとき、制御部１１は蓄積データリスト部１４に、図２に示したような、蓄積開始日時、蓄積終了時刻、蓄積時間、カメラの名称という蓄積映像データに関する情報とともに、蓄積が利用者の指示により手動で開始されたという蓄積開始のきっかけ情報を蓄積データＩＤとともに記録した蓄積データリストを蓄積データリスト部１４に保存する。
【００１６】
利用者がタイマ機能を利用してカメラから入力されている映像を蓄積サーバ１の蓄積部１２に蓄積する場合は、利用者が操作端末２の制御部２１から蓄積サーバ１のタイマ管理部１５に蓄積設定内容とタイマの設定を行い、タイマ管理部１５は制御部１１に蓄積設定内容とタイマの設定の制御を指示する。制御部１１が蓄積部１２に蓄積開始の制御を行うことにより蓄積が開始される。蓄積を終了するときは、操作端末２の制御部２１から蓄積サーバ１の制御部１１を通じて終了の制御を行う。このとき、制御部１１は蓄積データリスト部１４に、図２に示したような、蓄積開始日時、蓄積終了時刻、蓄積時間、カメラの名称という蓄積映像データに関する情報と、蓄積が利用者の指示によるタイマ設定により開始されたという蓄積開始のきっかけ情報が蓄積データＩＤを含む蓄積データリストを蓄積データリスト部１４に保存する。検索キー項目に記録された情報は検索の際の検索キーとなる。
【００１７】
外部センサまたは警報装置４からのイベント入力部１６へのイベント発生の入力をきっかけとする場合は、例えば、イベント発生後１時間の間、蓄積を行う場合、蓄積サーバ１のイベント入力部１６で外部センサまたは警報装置１４からのイベント発生の信号を受信し、それをきっかけにイベント入力部１６は制御部１１に蓄積開始の指示を行い、また、タイマ制御部１５に１時間後に蓄積終了制御を行うように設定する。制御部１１はイベント入力部１６から指示を受けて、制御部１１が蓄積部１２に蓄積開始の制御を行うことにより蓄積が開始され、１時間後に終了する。このとき、制御部１１は蓄積データリスト部１４に、図２に示したような、蓄積開始日時、蓄積終了時刻、蓄積時間、カメラの名称という蓄積映像データに関する情報とともに、蓄積が外部センサまたは警報装置４からのイベント入力部１６へのイベント発生の入力をきっかけとして開始されたという蓄積開始のきっかけ情報が蓄積データＩＤとともに検索キー項目に記録された蓄積データリストを蓄積データリスト部１４に保存する。検索キー項目に記録された情報は検索の際の検索キーとなる。
【００１８】
次に、蓄積されている映像データの中から、利用者が求めている映像データを検索する際の動作について説明する。
【００１９】
図３は、操作端末２における検索部２２の処理の流れを示すフローチャートである。図３に示したように、処理の開始（Ｓ１１）とともに、利用者は操作端末２の検索部２２から、求めている映像データに繋がる検索キー項目１〜ｎに検索キーを入力する（Ｓ１２）。このとき、必ずしも全ての検索キー項目に入力する必要はない。そして、検索部２２は検索キー項目に入力された検索キーを蓄積サーバ１の検索制御部１３へ送信し（Ｓ１３）、端末２における操作が終了する（Ｓ１４）。
【００２０】
図４は、検索制御部１３における処理の流れを示すフローチャートである。図４に示したように、利用者の指示により、処理開始（Ｓ２１）の後、検索制御部１３は蓄積データリスト部１４から全件の蓄積データリスト（検索対象Ａ１という）を抽出し（Ｓ２３）、「検索対象Ａ１」について、蓄積データリストの検索キー項目１が受信されているか否かを調べ（Ｓ２４）、検索キー項目１が受信されている場合（Ｙ）には、「検索対象Ａ１」の蓄積データリストから検索キーが受信検索キーと一致する蓄積データリストを抽出して（Ｓ２５）、検索対象をＳ２５の抽出結果（検索対象Ａ２という）とする（Ｓ２６）。「検索対象Ａ１」について、蓄積データリストの検索キー項目１が受信されていない場合（Ｎ）には、「検索対象Ａ１」を「検索対象Ａ２」と読み替えた上で（Ｓ２７）次のステップへ進む。
【００２１】
次に、検索キー項目１に対してＹまたはＮの処理を行った結果の「検索対象Ａ２」について、蓄積データリストの検索キー項目２が受信されているか否かを調べ（Ｓ２８）、検索キー項目２が受信されている場合（Ｙ）には、「検索対象Ａ２」から検索キーが受信検索キーと一致する蓄積データリストを抽出して（Ｓ２９）、検索対象をＳ２９の抽出結果（検索対象Ａ３という）とする（Ｓ３０）。「検索対象Ａ１」について、検索キー項目２が受信されていない場合（Ｎ）、「検索対象Ａ２」を「検索対象Ａ３」と読み替えて（Ｓ３１）次のステップ進む。
【００２２】
上記Ｓ２３…Ｓ２７、Ｓ２８…Ｓ３１のように処理を繰り返して、「検索対象Ａ（ｎ）」について、蓄積データリストの検索キー項目ｎが受信されているか否かを調べ（Ｓ３２）、検索キー項目ｎが受信されている場合（Ｙ）には、「検索対象Ａ（ｎ）」について、検索キーが受信検索キーと一致する蓄積データリストを抽出して検索結果とし（Ｓ３３）、検索結果を操作端末に返す（Ｓ３５）。「検索対象Ａ（ｎ）」について、検索キー項目ｎが受信されていない場合（Ｎ）には、「検索対象Ａ（ｎ）」をそのまま検索結果とし（Ｓ３４）、検索結果を操作端末に返す（Ｓ３５）。
【００２３】
利用者は、操作端末２に返された検索結果の蓄積データリストを基にして、蓄積サーバ１の制御部１１へ映像データを再生する要求を行い、蓄積部１２から映像データが読み出されて映像が操作端末２の映像表示部２３に表示される。
【００２４】
上記のように、蓄積開始の際に、利用者の操作により手動で開始されたのか、タイマにより開始されたのか、あるいは外部センサまたは警報装置からのイベント発生入力がきっかけであったのかという、蓄積開始のきっかけ情報が蓄積データＩＤとともに記録された蓄積データリストが蓄積データリスト部１４に保存され、この蓄積開始のきっかけ情報が検索時の検索条件として利用できるので、例えば、イベント発生入力がきっかけであった蓄積データリストを全て抽出したい場合に、「イベント発生入力がきっかけであった」という検索キーを指定して検索することにより、蓄積データリストをそのまま利用してイベント発生入力がきっかけであった映像データを全て抽出することができる。
【００２５】
以上のように、この実施の形態１によれば、利用者の意志が反映されやすくなり、的確な検索条件が設定でき、検索の結果の精度が向上し、利用者の利便性が向上する。
【００２６】
実施の形態２．
図５は、この発明に係る映像データ蓄積システムの実施の形態１を示すブロック図である。上記実施の形態１における映像データ蓄積システムでは、蓄積サーバ１のイベント入力部を１つとしていたが、この実施の形態２における映像データ蓄積システムでは、図５に示したように、複数の外部センサまたは警報装置４１〜４３が存在する場合、複数の外部センサまたは警報装置４１〜４３に対応したイベント入力部１６１〜１６３を設けることにより、外部センサまたは警報装置４１〜４３のいずれが蓄積開始のきっかけとなったかを識別することが可能になり、例えば、先に挙げたダムの管理事務所を例にすると、ダム水位低下異常のセンサ及び警報、ダム流入水量以上を検知するセンサ及び警報、雨量検知センサ等の異なるセンサが、警報装置が設置されており、それぞれのセンサ及び警報装置からの入力を区別して映像データの蓄積を行い、例えば、流入水量異常の警報で蓄積された映像データのみを検索する等のように、さらにきめ細かい検索条件の設定が可能になり、外部システムと映像データ蓄積システムとの連携が強化されるとともに、検索時の利用者の利便性が向上する。
【００２７】
実施の形態３．
この実施の形態３は、映像データの蓄積を行う利用者に関する情報を蓄積データリスト部１４に保存し、この保存した映像データの利用者に関する情報を検索時に有効に利用するものである。
【００２８】
利用者が映像データ蓄積システムを利用する際には、ログインＩＤとパスワードが必要であり、このログインＩＤとパスワードから現在の利用者を識別することができるものとする。
【００２９】
上記実施の形態１では、利用者が手動で、あるいはタイマの設定により、蓄積を開始しようとする際、図１に示したように、制御部１１が蓄積データリスト部１４に蓄積開始日時、カメラの名称などのデータとともに、利用者の指示により手動、あるいはタイマの設定により蓄積開始が行われたという蓄積開始のきっかけ情報を蓄積ＩＤとともに記録していたが、この実施の形態３では、図６に示す蓄積データリストの構成のように、手動、あるいはタイマの設定により蓄積開始が行われたという蓄積開始のきっかけ情報に代えて、どの利用者（以下、蓄積操作者という）の操作により蓄積が開始されたかという情報（以下、蓄積操作者のユーザＩＤという）を記録する。
【００３０】
図７は、この実施の形態３における操作端末における検索操作を示すフローチャートであり、図８は、この実施の形態３において蓄積サーバ１の検索制御部１３が行う検索処理の流れの主要部を示すフローチャートである。
【００３１】
図７に示したように、検索キー項目１〜ｎを入力し（Ｓ４２）、操作端末２の検索部２２から蓄積サーバ１の検索制御部１３に、検索キー項目に入力された内容と、この内容とは別に検索実行者ユーザＩＤを送信する（Ｓ４３）。
【００３２】
この実施の形態３では、図８に示したように、検索制御部１３は操作端末２から検索キー項目１〜ｎの検索キーと検索実行者のユーザＩＤとを受信し（Ｓ５２）、「蓄積操作者ユーザＩＤが検索実行者ユーザＩＤと一致する蓄積データリストを抽出する」という検索条件により、蓄積データリスト部１４から蓄積操作者ユーザＩＤと検索実行者ユーザＩＤとが一致する蓄積データリストが抽出され（Ｓ５３）、抽出された蓄積データリストが「検索対象Ａ」となり（Ｓ５４）、以下、図４に示したＳ２４以下と同様の検索が行なわれる。
【００３３】
この実施の形態３によれば、得られる検索結果は、検索実行者自身が蓄積操作を行った映像データのみに限られ、したがって、他の利用者から自身が蓄積した映像データを見られることもなくなるのでセキュリティが向上する。
【００３４】
実施の形態４．
上記実施の形態３では、蓄積操作者の情報を蓄積データリスト部１４に保存し、蓄積操作者の情報を有効に利用してセキュリティを向上させるようにしたが、この実施の形態４では、操作端末２のＩＰアドレスを有効に利用してセキュリティを向上させるようにしたものである。
【００３５】
図９は、この実施の形態４における蓄積データリストの構成を示す図である。この実施の形態４では、図９に示したように、蓄積操作者ユーザＩＤに代えて、蓄積操作を行った操作端末のＩＰアドレスを記録する。
【００３６】
図１０は、この実施の形態４における操作端末における検索操作を示すフローチャートであり、図１１は、この実施の形態４において蓄積サーバ１の検索制御部１３が行う検索処理の流れの主要部を示すフローチャートである。
【００３７】
図１０に示したように、検索キー項目１〜ｎを入力し（Ｓ７２）、操作端末２の検索部２２から蓄積サーバ１の検索制御部１３に、検索キー項目に入力された内容と、この内容とは別に検索を実行している操作端末２のＩＰアドレスを送信する（Ｓ７３）。
【００３８】
この実施の形態４では、図１１に示したように、検索制御部１３は操作端末２から検索キー項目１〜ｎの検索キーと検索実行の操作端末２のＩＰアドレスとを受信し（Ｓ８２）、「蓄積データリスト部１４から蓄積操作を行った操作端末２のＩＰアドレスが検索実行の操作端末２のＩＰアドレスと一致する蓄積データリストを抽出する」という検索条件により、蓄積操作を行った操作端末２のＩＰアドレスと検索実行の操作端末２のＩＰアドレスとが一致する蓄積データリストが抽出され（Ｓ８３）、抽出された蓄積データリストが「検索対象Ａ」となり（Ｓ８４）、以下、図４に示したＳ２４以下と同様の検索が行なわれる。
【００３９】
この実施の形態４によれば、得られる検索結果は、検索実行の操作端末２が蓄積操作を行った操作端末２の映像データのみに限られ、したがって、蓄積した映像データを他の操作端末２から見られることもなくなるのでセキュリティが向上する。また、操作端末２を複数の人が起動できるように設定することにより、それらの複数の人が操作端末から蓄積した映像データを共有することができるようになる。
【００４０】
実施の形態５．
上記実施の形態３では、ある特定の映像データ見ることができるのは、その映像データの蓄積操作者のみである。また、上記実施の形態４では、一つの操作端末２から複数の利用者が映像データ共有することができるようにできたが、特定の映像データのみを共有することはできない。
【００４１】
図１２は、この実施の形態５における蓄積データリストの構成を示す図である。この実施の形態５では、図１２に示したように、蓄積を行った操作端末のＩＰアドレスに代えて、データ共有者のユーザＩＤを記録する。このデータ共有者のユーザＩＤは、手動による蓄積、タイマによる蓄積の場合には蓄積操作時に、イベントによる蓄積時には事前の設定時に蓄積操作者により設定され、複数のデータ共有者を設定することができる。また、蓄積操作者は蓄積が終了した後も必要に応じて設定してあるデータ共有者を変更することができる。
【００４２】
図１３は、この実施の形態５において蓄積サーバ１の検索制御部１３が行う検索処理の流れの主要部を示すフローチャートである。
【００４３】
この実施の形態５では、図１３に示したように、検索制御部１３は操作端末２から検索キー項目１〜ｎの検索キーと検索実行の操作端末２のＩＰアドレスとを受信し（Ｓ１０２）、「検索実行者のユーザＩＤが、蓄積操作者またはデータ共有者のユーザＩＤと一致する蓄積データリストを抽出する」という検索条件により、蓄積データリスト部１４から検索実行者のユーザＩＤとデータ共有者のユーザＩＤとが一致する蓄積データリストが抽出され（Ｓ１０３）、抽出された蓄積データリストが「検索対象Ａ」となり（Ｓ１０４）、以下、図４に示したＳ２４以下と同様の検索が行なわれる。
【００４４】
この実施の形態５によれば、一つの操作端末２から複数の利用者が映像データ共有することができるようにした場合に、利用者毎に特定の映像データのみを共有することができるようにしたので、利用者間においてもセキュリティを守りながら複数の人が操作端末から蓄積した映像データを共有することができるようになる。
【００４５】
なお、上記実施の形態１〜５において、蓄積される映像データは動画であっても静止画であっても同様の効果が得られる。
【００４６】
また、上記実施の形態１〜５においては蓄積サーバ１と利用者が操作を行う操作端末２とが別に存在する例を説明したが、蓄積サーバ１と利用者が操作を行う操作端末２とが一体に存在していてもよい。
【産業上の利用可能性】
【００４７】
この発明に係る映像データ蓄積システムは、道路、河川やダム等の状況をカメラにより撮影した映像データを蓄積する映像データ蓄積システム及びその映像データの検索方法に有効に利用することができる。
【図面の簡単な説明】
【００４８】
【図１】この発明に係る映像データ蓄積システムの実施の形態１を示すブロック図である。
【図２】実施の形態１における蓄積データリストの構造を示す図である。
【図３】実施の形態１における操作端末の検索部の動作を説明するフローチャートである。
【図４】実施の形態１における蓄積サーバの検索制御部の動作を説明するフローチャートである。
【図５】この発明に係る映像データ蓄積システムの実施の形態２を示すブロック図である。
【図６】この発明に係る映像データ蓄積システムの実施の形態３における蓄積データリスト部の構造を示す図である。
【図７】実施の形態３における操作端末の検索部の動作を説明するフローチャートである。
【図８】実施の形態３における蓄積サーバの検索制御部の動作を説明するフローチャートである。
【図９】この発明に係る映像データ蓄積システムの実施の形態４における蓄積データリスト部の構造を示す図である。
【図１０】実施の形態４における操作端末の検索部の動作を説明するフローチャートである。
【図１１】実施の形態４における蓄積サーバの検索制御部の動作を説明するフローチャートである。
【図１２】この発明に係る映像データ蓄積システムの実施の形態５における蓄積データリスト部の構造を示す図である。
【図１３】実施の形態５における蓄積サーバの検索制御部の動作を説明するフローチャートである。
【符号の説明】
【００４９】
１  蓄積サーバ、２  操作端末、３  カメラ、
４，４１〜４３  外部センサまたは警報装置、１１  蓄積サーバの制御部、
１２  蓄積部、１３  検索制御部、１４  蓄積データリスト部、１５  タイマ管理部、
１６  イベント入力部、２１  操作端末の制御部、２２  検索部、２３  映像表示部。
【図１】
2006173939.tif 000003
【図２】
2006173939.tif 000004
【図３】
2006173939.tif 000005
【図４】
2006173939.tif 000006
【図５】
2006173939.tif 000007
【図６】
2006173939.tif 000008
【図７】
2006173939.tif 000009
【図８】
2006173939.tif 000010
【図９】
2006173939.tif 000011
【図１０】
2006173939.tif 000012
【図１１】
2006173939.tif 000013
【図１２】
2006173939.tif 000014
【図１３】
2006173939.tif 000015